(57)【要約】【課題】低コスト化及びコンパクト化が図れ、且つ、車輌をパーキング状態とすることができると共に牽引も可能とする構造を実現する。【解決手段】エンジンの出力軸と動力伝達装置の入力部材との間の動力を断接可能なクラッチと、クラッチの断接を制御する制御装置と、を有する。クラッチと車輪との間は、シフトセレクタのモード及びシステムスイッチのオン、オフに拘らず動力が切断されずに駆動連結される。制御装置は、システムスイッチがオフ（ＳＳＷｏｆｆ）、かつ、ニュートラルモード（Ｎ）である場合には、クラッチを切断状態として、牽引を可能とする。一方、システムスイッチがオフ（ＳＳＷｏｆｆ）、かつ、停車中で前進モード（Ｄ）又は後進モード（Ｒ）である場合には、クラッチを接続状態として、パーキング状態とする。【選択図】図２
2011207295.tif 000002
【特許請求の範囲】
【請求項１】
エンジンの出力軸に駆動連結される入力部材と、車輪に駆動連結される出力部材と、を有し、前記入力部材の回転を遮断することなく連続して前記出力部材に伝達する動力伝達装置と、
前記エンジンの出力軸と前記入力部材との間の動力を断接可能なクラッチと、
前記動力伝達装置に駆動連結される電気モータと、
前進モード、後進モード、ニュートラルモードのうちの何れかのモードの選択、及び、システムスイッチのオン、オフに基づき、前記クラッチの断接を制御する制御手段と、を備え、
前記クラッチの入力部材側クラッチ部材と前記車輪との間は、前記モード及び前記システムスイッチのオン、オフに拘らず動力が切断されずに駆動連結され、
前記制御手段は、前記システムスイッチがオフ、かつ、前記モードが前記ニュートラルモードである場合には、前記クラッチを切断状態とし、前記システムスイッチがオフ、かつ、前記車輪の回転が停止した状態で前記モードが前記前進モード又は前記後進モードである場合には、前記クラッチを接続状態とする、
ことを特徴とするハイブリッド駆動装置。
【請求項２】
前記動力伝達装置は、前記入力部材に駆動連結される摩擦入力部と、前記出力部材に駆動連結される摩擦出力部と、を有し、これら摩擦入力部と摩擦出力部との接触位置を変更することにより、前記摩擦入力部の回転を無段に変速して前記摩擦出力部に伝達する摩擦式無段変速装置を有する、
ことを特徴とする、請求項１に記載のハイブリッド駆動装置。
【請求項３】
前記摩擦式無段変速装置は、前記摩擦入力部及び前記摩擦出力部がその軸線を互いに平行かつ径大部と径小部が軸方向に逆になるように配置された円錐形状の摩擦車からなり、これら両摩擦車の対向する傾斜面に挟持されるリングを軸方向に移動して無段に変速するコーンリング式無段変速装置である、
ことを特徴とする、請求項２に記載のハイブリッド駆動装置。
【発明の詳細な説明】
【技術分野】
【０００１】
本発明は、エンジンと電気モータとで車輪を駆動し得るハイブリッド駆動装置に係り、詳しくは電気モータと、エンジンの出力を車輪に伝達する動力伝達装置とを一体に組込んだハイブリッド駆動装置に関する。
【背景技術】
【０００２】
従来、エンジンと電気モータとで車輪を駆動するハイブリッド駆動装置にあって、１個の電気モータと無段変速装置とを組合せたものが知られている。一般に、該ハイブリッド駆動装置用の無段変速装置として、１対のプーリとこれらプーリに巻掛けられる金属製ベルト（又はチェーン）からなり、プーリの有効径を変更することにより無段に変速するベルト式無段変速装置が用いられている。
【０００３】
一方、１対の円錐状の摩擦車とこれら摩擦車の間に介在する金属製のリングとからなり、リングを、前記両摩擦車との接触部を変更するように移動することにより無段に変速するコーンリング式の無段変速装置が知られている（例えば特許文献１参照）。
【先行技術文献】
【特許文献】
【０００４】
【特許文献１】特表２００６−５０１４２５号公報（ＪＰ２００６−５０１４２５Ａ）
【発明の概要】
【発明が解決しようとする課題】
【０００５】
従来のハイブリッド駆動装置の場合、車輌をパーキング状態とするためのパーキング機構を設けていた。このために、例えば、無段変速装置の摩擦出力部にパーキングギヤを駆動連結し、このギヤとパーキングポールを係合させてパーキング状態としていた。ハイブリッド駆動装置は、低コスト化及びコンパクト化が望まれるが、このようなパーキング機構を設ける分、装置の大型化及びコスト増大が避けられない。一方、車輌の安全上、パーキング機構を省略するなどしてパーキング状態を実現できなくすることは好ましくない。また、エンジンなどの故障時に車輌を牽引できる状態とする必要もある。
【０００６】
本発明は、このような事情に鑑み、低コスト化及びコンパクト化が図れ、且つ、車輌をパーキング状態とすることができると共に牽引も可能とする構造を実現すべく発明したものである。
【課題を解決するための手段】
【０００７】
本発明は、エンジンの出力軸（５）に駆動連結される入力部材（１０）と、車輪に駆動連結される出力部材（４）と、を有し、前記入力部材（１０）の回転を遮断することなく連続して前記出力部材（４）に伝達する動力伝達装置と、
前記エンジンの出力軸（５）と前記入力部材（１０）との間の動力を断接可能なクラッチ（６）と、
前記動力伝達装置に駆動連結される電気モータ（２）と、
前進モード（Ｄ）、後進モード（Ｒ）、ニュートラルモード（Ｎ）のうちの何れかのモードの選択、及び、システムスイッチ（２４）のオン、オフに基づき、前記クラッチ（６）の断接を制御する制御手段（２５）と、を備え、
前記クラッチ（６）の入力部材側クラッチ部材（６ｂ）と前記車輪との間は、前記モード及び前記システムスイッチ（２４）のオン、オフに拘らず動力が切断されずに駆動連結され、
前記制御手段（２５）は、前記システムスイッチ（２４）がオフ、かつ、前記モードが前記ニュートラルモード（Ｎ）である場合には、前記クラッチ（６）を切断状態とし、前記システムスイッチ（２４）がオフ、かつ、前記車輪の回転が停止した状態で前記モードが前記前進モード（Ｄ）又は前記後進モード（Ｒ）である場合には、前記クラッチ（６）を接続状態とする、
ことを特徴とするハイブリッド駆動装置にある。
【０００８】
前記動力伝達装置は、前記入力部材（１０）に駆動連結される摩擦入力部（１３）と、前記出力部材（４）に駆動連結される摩擦出力部（１４）と、を有し、これら摩擦入力部（１３）と摩擦出力部（１４）との接触位置を変更することにより、前記摩擦入力部（１３）の回転を無段に変速して前記摩擦出力部（１４）に伝達する摩擦式無段変速装置（３）を有する。
【０００９】
前記摩擦式無段変速装置（３）は、前記摩擦入力部（１３）及び前記摩擦出力部（１４）がその軸線を互いに平行かつ径大部と径小部が軸方向に逆になるように配置された円錐形状の摩擦車からなり、これら両摩擦車の対向する傾斜面に挟持されるリング（１５）を軸方向に移動して無段に変速するコーンリング式無段変速装置である。
【００１０】
なお、上記カッコ内の符号は、図面と対照するためのものであるが、これにより特許請求の範囲記載の構成に何等影響を及ぼすものではない。
【発明の効果】
【００１１】
請求項１に係る本発明によると、別途パーキング機構を設ける必要がないため、低コスト化及びコンパクト化を図れる。即ち、車輪の回転が停止した状態（即ち、車輌の停止状態）で、システムスイッチがオフ、かつ、モードが前進モード又は後進モードである場合に、クラッチが接続される。クラッチと車輪との間は、モード及びスイッチのオン、オフに拘らず駆動連結されるため、これによりエンジンと車輪とが駆動連結され、パーキング状態が実現される。この結果、ハイブリッド駆動装置に別途パーキング機構を設ける必要がなく、低コスト化及びコンパクト化を図れる。一方、システムスイッチがオフ、モードがニュートラルモードである場合に、クラッチが切断されるため、車輌の牽引が可能となる。
【００１２】
請求項２に係る本発明によると、摩擦式無段変速装置を組み込んだハイブリッド駆動装置で、低コスト化及びコンパクト化を図れる。
【００１３】
請求項３に係る本発明によると、摩擦車の軸方向に比較的大型化してしまうコーンリング式無段変速装置を適用した構造であっても、パーキング機構を別途設ける必要がない分、軸方向寸法を小さくし易く、コンパクト化を図れる。
【図面の簡単な説明】
【００１４】
【図１】本発明の実施形態に係るハイブリッド駆動装置のスケルトン図。
【図２】本実施形態のクラッチの係合表。
【図３】本実施形態の制御に係るフローチャート。
【発明を実施するための形態】
【００１５】
図面に沿って、本発明を適用したハイブリッド駆動装置を説明する。ハイブリッド駆動装置１は、図１に示すように、電気モータ２と、コーンリング式無段変速装置（摩擦式無段変速装置）３と、ディファレンシャル装置４と、図示しないエンジンの出力軸５とコーンリング式無段変速装置３との間の動力を断接するクラッチ６と、ギヤ伝動装置７とを有する。
【００１６】
電気モータ２は、モータ出力軸２ａの両端部を、不図示のケースにベアリング８を介して回転自在に支持されている。また、モータ出力軸２ａの一方側（図１の右側）には、歯車（ピニオン）からなるモータ出力ギヤ２ｂが形成されている。該モータ出力ギヤ２ｂは、アイドラギヤ（歯車）９を介して、入力部材である入力軸１０に設けられた入力ギヤである中間ギヤ（歯車）１１に噛合している。
【００１７】
アイドラギヤ９の軸９ａは、両端部をケースにベアリング１２を介して回転自在に支持されている。また、アイドラギヤ９は、側面視（軸方向から見た状態）、電気モータ２と一部径方向にオーバラップした状態で配置されている。即ち、ピニオンからなるモータ出力ギヤ２ｂが小径からなり、入力軸１０の中間ギヤ１１が大径からなり、出力ギヤ（歯車）２ｂからアイドラギヤ９を介して中間ギヤ１１に伝達されるギヤ比を大きくする（大きな減速比）ことが可能となる。
【００１８】
コーンリング式無段変速装置３は、摩擦入力部である円錐形状の摩擦車１３と、摩擦出力部である同じく円錐形状の摩擦車１４と、金属製のリング１５とからなる。両摩擦車１３，１４は、互いに平行にかつ径大部と径小部が軸方向に逆になるように配置されており、リング１５が、これら両摩擦車１３，１４の対向する傾斜面に挟持されるようにかつ両摩擦車のいずれか一方例えば入力側摩擦車１３を取囲むように配置されている。両摩擦車の少なくとも一方には大きなスラスト力が作用しており、リング１５はこのスラスト力に基づく比較的大きな挟圧力により挟持されている。具体的には、出力側摩擦車１４と出力軸１６との間には軸方向で対向する面に波状のカム面を有する押圧機構１７が形成されており、この押圧機構１７により、出力側摩擦車１４に、伝達トルクに応じた矢印Ｄ方向のスラスト力を発生させる。そして、該スラスト力に対向する方向に支持されている入力側摩擦車１３との間でリング１５に大きな挟圧力が生じる。
【００１９】
入力側摩擦車１３は、その径大部側（図１の左側）端部がローラベアリング１８ａを介してケースに支持されると共に、その径小部側（図１の右側）端部がテーパードローラベアリング１９ａを介してケースに支持されている。入力側摩擦車１３にリング１５を介して作用する出力側摩擦車１４からの矢印Ｄ方向のスラスト力は、テーパードローラベアリング１９ａにより担持される。
【００２０】
出力側摩擦車１４は、その径小部側（図１の左側）端部がローラベアリング１８ｂを介してケースに支持されると共に、その径大部側（図１の右側）端部がローラベアリング１８ｃを介してケースに支持されている。出力側摩擦車１４に上述した矢印Ｄ方向のスラスト力を付与した出力軸１６は、出力側摩擦車１４と反対側端がテーパードローラベアリング１９ｂを介してケースに支持されている。出力軸１６には、出力側摩擦車１４に作用するスラスト力の反力が反矢印Ｄ方向に作用し、該スラスト反力がテーパードローラベアリング１９ｂにより担持される。
【００２１】
リング１５は、モータにより回転駆動するボールスクリュ等の電動アクチュエータ２０（Ａ、軸方向移動手段）により軸方向に移動して、入力側摩擦車１３及び出力側摩擦車１４の接触位置を変更して、入力側摩擦車１３と出力摩擦車１４との間の回転比を無段に変速する。上述の伝達トルクに応じたスラスト力Ｄは、上記両テーパードローラベアリング１９ａ，１９ｂを介して一体的なケース内にて互いに打消され油圧等の外力としての平衡力を必要としない。
【００２２】
出力部材であるディファレンシャル装置４はデフケース４ａを有しており、該デフケース４ａの内部には、軸方向に直交するシャフトが取付けられており、該シャフトにデフキャリヤとなるベベルギヤ４ｂ，４ｂが係合されており、また左右の車輪にそれぞれ駆動連結されるアクスル軸４ｃｌ，４ｃｒが支持され、これらアクスル軸に上記デフキャリヤと噛合するベベルギヤ４ｄ，４ｄが固定されている。更に、上記デフケース４ａの外部には大径のデフリングギヤ（歯車）４ｅが取付けられている。デフリングギヤ４ｅは、ディファレンシャル装置４の中心軸（アクスル軸４ｃｌ，４ｃｒの回転軸）を中心として回転する。無段変速装置出力軸１６には歯車（ピニオン）１６ａが形成されており、該歯車１６ａはデフリングギヤ４ｅが噛合している。したがって、出力側摩擦車１４は、押圧機構１７、出力軸１６、出力歯車１６ａ、ディファレンシャル装置４を介して車輪に駆動連結される。
【００２３】
モータ出力ギヤ（ピニオン）２ｂ、アイドラギヤ９及び中間ギヤ（歯車）１１、並びに無段変速装置出力ギヤ（ピニオン）１６ａ及びデフリングギヤ（歯車）４ｅが、ギヤ伝動装置７を構成している。モータ出力ギヤ２ｂとデフリングギヤ４ｅとが、軸方向でオーバラップするように配置されており、更に中間ギヤ１１及び無段変速装置出力ギヤ１６ａが、モータ出力ギヤ２ｂ及びデフリングギヤ４ｅと軸方向でオーバラップするように配置されている。なお、ギヤとは、歯車及びスプロケットを含む噛合回転伝達手段を意味するが、本実施形態においては、ギヤ伝動装置は、すべて歯車からなる歯車伝動装置を意味する。
【００２４】
入力軸１０は、中間部をケースにベアリング２１により回転自在に支持され、その一端にて無段変速装置３の入力側摩擦車１３にスプライン係合などにより駆動連結しており、かつその他端側は、クラッチ６を介してエンジンの出力軸５に連動している。したがって、入力側摩擦車１３は、入力軸１０及びクラッチ６を介して出力軸５に駆動連結される。
【００２５】
電気モータ２のモータ出力軸２ａ、同軸状に配置されている入力軸１０及び入力側摩擦車１３、出力側摩擦車１４及びその出力軸１６、左右アクスル軸４ｃｌ，４ｃｒ（ディファレンシャル装置５の中心軸）、アイドラギヤ軸９ａの各軸は、すべて平行に配置されてケースに支持されていると共に、ギヤ伝動装置７のギヤ（歯車）２ｂ，９，１１，１６ａ，４ｅがそれぞれ配置されている。該ギヤ伝動装置７に対して、電気モータ２及び無段変速装置３が軸方向一方に配置され、他方にてエンジンが連結される。本実施形態の場合、無段変速装置３とギヤ伝動装置７とで動力伝達装置を構成している。この動力伝達装置は、上述のような構成により、入力軸１０の回転を遮断することなく連続してディファレンシャル装置４に伝達する。
【００２６】
クラッチ６は、エンジンの出力軸５に駆動連結されたエンジン側クラッチ部材６ａと、入力軸１０に駆動連結された変速機側クラッチ部材（入力部材側クラッチ部材）６ｂとを対向配置してなり、レバー６ｃを駆動することにより、両クラッチ部材６ａ，６ｂの摩擦部材の当接及び離隔を行い、動力の断接を可能としている。また、両クラッチ部材６ａ，６ｂは、不図示のばねにより当接する方向に付勢されている。レバー６ｃの駆動は、電動アクチュエータ２２により行われる。電動アクチュエータ２２は、モータと、モータの出力軸に形成されたウォームと、該ウォームと噛合するウォームホイールと、ウォームホイールの一部に連結されたロッドとを備える。ロッドは、レバー６ｃに連結される。レバー６ｃを駆動する場合には、モータを回転させてウォームとウォームホイールとの噛合によりウォームホイールを回転させる。そして、ウォームホイールに連結されたロッドを移動させ、ロードに連結されたレバー６ｃを駆動する。
【００２７】
クラッチ６を接続状態とする場合には、電動アクチュエータ２２によりレバー６ｃを駆動させ、ばねの付勢力により両クラッチ部材６ａ，６ｂの摩擦部材を当接させる。これにより、エンジンの出力軸５と入力軸１０とが駆動連結される。一方、クラッチ６を切断状態とする場合には、電動アクチュエータ２２によりレバー６ｃを駆動させ、ばねの付勢力に抗して両クラッチ部材６ａ，６ｂの摩擦部材を離隔させる。これにより、エンジンの出力軸５と入力軸１０との間で動力が切断される。また、ウォームとウォームホイールとの噛合により、モータへの電力供給が停止してもこの切断状態が維持される。
【００２８】
また、クラッチ６の断接を行う電動アクチュエータ（Ａ）２２は、制御手段である制御装置（Ｃ）２５により制御される。制御装置２５は、前進モード（Ｄレンジ）、後進モード（Ｒレンジ）、ニュートラルモード（Ｎレンジ）が選択可能なモード選択手段であるシフトセレクタ２３により選択されたモードと、車輌のイグニッションスイッチやスタートボタンなどのシステムスイッチ（ＳＳＷ）２４のオン、オフとに基づき、クラッチ６の断接を制御する。
【００２９】
また、上述の説明及び図１から明らかなように、クラッチ６と車輪との間にはクラッチなどの動力を切断する機構は設けてない。したがって、クラッチ６の変速機側クラッチ部材６ｂと車輪との間では、上述のシフトセレクタ２３により選択したモード及びシステムスイッチ２４のオン、オフに拘らず、動力が切断されずに駆動連結される。
【００３０】
ついで、上述したハイブリッド駆動装置１の作動について説明する。本ハイブリッド駆動装置１は、ケースの他方を内燃エンジンに結合され、かつ該エンジンの出力軸５をクラッチ６を介して入力軸１０に連動して用いられる。エンジンからの動力が伝達される入力軸１０の回転は、スプラインを介してコーンリング式無段変速装置３の入力側摩擦車１３に伝達され、更にリング１５を介して出力側摩擦車１４に伝達される。
【００３１】
この際、両摩擦車１３，１４とリング１５との間は、出力側摩擦車１４に作用する矢印Ｄ方向のスラスト力により大きな接触圧が作用し、かつこれら各部材が存在する空間はトラクション用オイルが充填されているので、上記両摩擦車とリングとの間には、該トラクション用オイルの油膜が介在した極圧状態となる。この状態では、トラクション用オイルは大きな剪断力を有するので、該油膜の剪断力により両摩擦車とリングとの間に動力伝達が行われる。これにより、金属同士の接触でありながら、摩擦車及びリングが摩耗することなく、所定のトルクを滑ることなく伝達し得、かつリング１５を軸方向に滑らかに移動することにより、両摩擦車との接触位置を変更して無段に変速する。
【００３２】
該無段変速された出力側摩擦車１４の回転は、出力側摩擦車１４に押圧機構１７などにより駆動連結された出力軸１６、出力ギヤ１６ａ及びデフリングギヤ４ｅを介してディファレンシャル装置４のデフケース４ａに伝達され、左右のアクスル軸４ｃｌ，４ｃｒに動力分配されて、車輪（前輪）を駆動する。
【００３３】
一方、電気モータ２の動力は、モータ出力ギヤ２ｂ、アイドラギヤ９及び中間ギヤ１１を介して入力軸１０に伝達される。該入力軸１０の回転は、先の説明と同様に、コーンリング式無段変速装置３を介して無段に変速され、更に出力ギヤ１６ａ、デフリングギヤ４ｅを介してディファレンシャル装置４に伝達される。上記モータ出力ギヤ２ｂ，デフリングギヤ４ｅ、各ギヤ９，１１，１６ａからなるギヤ伝動装置７、及び、ベベルギヤ４ｂ，４ｄは、コーンリング式無段変速装置３が配置された空間と油密状に区画され、潤滑用オイルが充填される単一のギヤ空間に収納されており、各ギヤの噛合に際して潤滑用オイルが介在して滑らかに動力伝達される。この際、ギヤ空間の下方位置に配置されたデフリングギヤ４ｅは、大径ギヤからなることと相俟って、潤滑用オイルをかき上げ、他のギヤ（歯車）２ｂ，９，１１，１６ａに確実にかつ充分な量の潤滑用オイルを供給する。
【００３４】
また、ハイブリッド駆動装置１で、電気モータ１のみにより前進走行する場合には、クラッチ６を切断すると共に、電気モータ２を回転駆動して、各ギヤ２ｂ，９，１１，１６ａ，４ｅ及びコーンリング式無段変速装置３を介してディファレンシャル装置４に電気モータ２の動力を伝達し、車輪を前進方向に回転する。一方、後進モードで駆動する場合、クラッチ６を切断すると共に、電気モータ２を前進モードの場合と逆方向に回転駆動して、各ギヤ２ｂ，９，１１，１６ａ及びコーンリング式無段変速装置３を介してディファレンシャル装置４に電気モータ２の動力を伝達し、車輪を後進方向に回転する。
【００３５】
このようなエンジン及び電気モータの作動形態、即ちハイブリッド駆動装置１としての作動形態は、必要に応じて各種採用可能である。一例として、車輌発進時、クラッチ６を切断すると共にエンジンを停止し、電気モータ２のトルクのみにより発進し、所定速度になると、エンジンを始動すると共にクラッチ６を接続し、エンジン及び電気モータの動力により加速し、巡航速度になると、電気モータをフリー回転又は回生モードとして、エンジンのみにより走行する。減速、制動時は、電気モータを回生してバッテリを充電する。また、クラッチ６を発進クラッチとして使用し、エンジンの動力により、モータトルクをアシストとして用いつつ発進するように用いてもよい。
【００３６】
本実施形態におけるクラッチ６の接続（係合）及び切断（非係合）について、図２により説明する。制御装置２５は、この図２の係合表に基づいてクラッチ６の断接を制御する。なお、図２で「○」はクラッチ６を係合している状態を、「×」はクラッチ６を非係合としている状態を、それぞれ示す。まず、システムスイッチ２４がオン（ＳＳＷｏｎ）の状態で走行中に、前進モード（Ｄレンジ）が選択されている場合には、上述のように走行状態に応じてクラッチ６の断接（○ｏｒ×）を行う。また、この状態でニュートラルモード（Ｎレンジ）が選択された場合には、クラッチ６を切断してエンジンと車輪との間の動力伝達を行わないようにする。また、後進モード（Ｒレンジ）を選択して走行する場合にも、クラッチ６を切断し、電気モータ２の駆動により後進する。一方、前進、後進のいずれのモードの走行中の場合で、システムスイッチ２４がオフ（ＳＳＷｏｆｆ）された場合には、クラッチ６を切断状態とする。これは、エンジンが停止してエンジンブレーキが急に作用することを防止するためである。ニュートラルモードでシステムスイッチ２４がオフされた場合もクラッチ６を切断状態とする。
【００３７】
次に、車輌の停車中、即ち、車輪が回転していない場合には、図２の左側の欄のようにクラッチ６の断接を行う。本実施形態では、車輌が停車しているか否かは、車輪の回転速度を検知するセンサ（Ｓ）２６の信号に基づいて制御装置２５が判断している。まず、システムスイッチ２４がオン（ＳＳＷｏｎ）の状態では、すべてのモードでクラッチ６を切断状態とする。一方、システムスイッチ２４がオフ、かつ、前進モード又は後進モードが選択された場合には、クラッチ６を接続状態とする。システムスイッチ２４がオフされてクラッチ６を接続状態とした後は、車輌の必要個所への電力供給を除くシステム電源がシャットダウンされ、クラッチ６を駆動する電動アクチュエータ２２への電力供給も停止されるが、クラッチ６はばねの付勢力により接続状態が維持される。
【００３８】
これに対して、システムスイッチ２４がオフ、かつ、ニュートラルモードが選択された場合には、クラッチ６を切断状態とする。この場合にもシステム電源がシャットダウンされるが、前述したように、電動アクチュエータ２２を構成するウォームとウォームホイールとの噛合に基づき、クラッチ６の切断状態が維持される。
【００３９】
このような制御のフローについて、図３により説明する。まず、Ｓ１でシステムスイッチ２４がオフされていない場合（オンの場合）には、走行制御に従いクラッチ６の断接を行う（Ｓ２）。一方、Ｓ１でシステムスイッチ２４がオフされている場合には、車輌が停止しているか否かを確認する（Ｓ３）。車輌が停止していない場合（走行中の場合）には、クラッチ６を切断状態とする（Ｓ４）。これに対して、Ｓ３で車輌が停止している場合には、シフトセレクタ２３がニュートラルモード（Ｎレンジ）が選択されているか否かを確認する（Ｓ５）。ニュートラルモードが選択されていない場合（前進モード又は後進モードが選択されている場合）には、クラッチ６を接続状態とする（Ｓ６）。そして、クラッチ６の接続状態を維持したままシステム電源をシャットダウンする（Ｓ７）。これに対して、Ｓ５でニュートラルモードが選択されている場合には、クラッチ６を切断状態とする（Ｓ８）。そして、クラッチ６の切断状態を維持したままシステム電源をシャットダウンする（Ｓ７）。
【００４０】
このような本実施形態によると、別途パーキング機構を設ける必要がないため、低コスト化及びコンパクト化を図れる。即ち、車輪の回転が停止した状態（即ち、車輌の停止状態）で、システムスイッチ２４がオフ、かつ、モードが前進モード又は後進モードである場合に、クラッチ６が接続される。前述したように、クラッチ６と車輪との間は、モード及びスイッチのオン、オフに拘らず駆動連結されるため、これによりエンジンと車輪とが駆動連結され、パーキング状態が実現される。この結果、ハイブリッド駆動装置１に別途パーキング機構を設ける必要がなく、低コスト化及びコンパクト化を図れる。なお、本実施形態の場合、シフトセレクタ２３にパーキングレンジを設ける必要がない。一方、システムスイッチ２４がオフ、モードがニュートラルモードである場合に、クラッチ６が切断されるため、車輌の牽引が可能となる。
【００４１】
即ち、本実施形態の場合、車輌を停止してパーキング状態とする場合には、システムスイッチ２４をオフすると共に、シフトセレクタ２３によりＤレンジ又はＲレンジを選択する。これにより、車輪とエンジンとが接続されパーキング状態が実現される。一方、車輌の牽引を行う場合には、システムスイッチ２４をオフすると共に、シフトセレクタ２３によりＮレンジを選択する。これにより、車輪とエンジンとが切断され、車輌の牽引が可能となる。なお、車輌の停車中でシステムスイッチ２４がオン、かつニュートラルモードであれば、クラッチ６が切断されるため、この状態でも牽引は可能である。
【００４２】
また、本実施形態は、摩擦車１３、１４の軸方向に比較的大型化してしまうコーンリング式無段変速装置３を組み込んだハイブリッド駆動装置１に本発明を適用しているが、上述のように、パーキング機構を別途設ける必要がない分、軸方向寸法を小さくできる。この結果、コーンリング式無段変速装置３を適用した構造であってもコンパクト化を図れる。
【００４３】
なお、上述の実施形態では、ギヤ伝動装置として歯車のみを使用した構造について説明した。但し、ギヤ伝動装置は、歯車以外にスプロケット（鎖歯車）とチェーンを組み合わせた構造であっても良いし、この構造と歯車とを適宜組み合わせたものであっても良い。何れにしても、エンジンの出力軸と動力伝達装置の入力部材との間の動力を断接可能なクラッチを設け、クラッチと車輪との間の動力伝達装置に電気モータを駆動連結する。また、クラッチと車輪との間には動力を切断するクラッチを設けないようにして、シフトセレクタによるモード選択及びシステムスイッチのオン、オフに拘らず動力が切断されないようにする。
【００４４】
また、上述の実施形態では、無段変速装置にコーンリング式の摩擦式無段変速装置を用いたが、これに限らず、２個の円錐形摩擦車の両方を取囲むようにリングを配置する無段変速装置（リングコーン式）、２個の円錐形状の摩擦車の間に、両摩擦車に接触しかつ軸方向に移動する摩擦車を介在する無段変速装置、トロイダル等の球面形状の摩擦車を用いる無段変速装置、並びに入力側及び出力側の摩擦円盤を互いに近づく方向に付勢されている１対のシーブからなるプーリ状摩擦車に挟むように配置し、プーリ状摩擦車を、両摩擦円盤との軸間距離を変更するように移動して変速する無段変速装置等の他の摩擦式無段変速装置を用いてもよい。
【００４５】
また、ギヤ伝動装置の伝達経路を、無段変速装置を経由するように構成してあるが、これに限らず、無段変速装置を経由することなく、電気モータの回転をデフリングギヤ４ｅに伝達するようにしてもよい。例えば、中間ギヤ１１が入力軸１０に回転自在に支持され、該中間ギヤの回転を、直接又はアイドラギヤを介して無段変速装置出力軸１６に伝達するように構成する。即ち、電気モータはクラッチと車輪との間の動力伝達経路に設けられていれば良く、上述のように入力側摩擦車１３に接続する構造でなくても良い。
【符号の説明】
【００４６】
１      ハイブリッド駆動装置
２      電気モータ
３      摩擦式（コーンリング式）無段変速装置
４      出力部材（ディファレンシャル装置）
５      エンジンの出力軸
６      クラッチ
６ｂ      入力部材側クラッチ部材（変速機側クラッチ部材）
７      ギヤ伝動装置
１０      入力部材（入力軸）
１３      摩擦入力部（摩擦車）
１４      摩擦出力部（摩擦車）
２３      シフトセレクタ
２４      システムスイッチ
２５      制御手段（制御装置）
２６      車輪の回転速度センサ
【図１】
2011207295.tif 000003
【図２】
2011207295.tif 000004
【図３】
2011207295.tif 000005